(57)【特許請求の範囲】
【請求項１】
キャリアアグリゲーションにおける複数のコンポーネントキャリアそれぞれに設定されたパラメータに基づいて、前記複数のコンポーネントキャリアの１つをプライマリコンポーネントキャリアとし、他の前記コンポーネントキャリアをセカンダリコンポーネントキャリアとして移動端末（２）と呼接続を行なってキャリアアグリゲーションの試験を行なう移動端末試験装置（１）であって、
前記移動端末との間で呼制御を行なって前記移動端末の送信信号の送信条件を制御するコールプロセッシング部（１２）と、
前記移動端末からの所定の送信条件を満たす信号を受信し、当該受信信号から前記移動端末の局部発振周波数を検出する無線信号測定部（１３）と、
アップリンクのプライマリコンポーネントキャリアとセカンダリコンポーネントキャリアが連続した周波数配置のアップリンクキャリアアグリゲーションの試験を行なう場合に、前記コールプロセッシング部に、前記移動端末に対し前記無線信号測定部に送信する信号を前記所定の送信条件を満たすように設定させ、前記無線信号測定部に、前記アップリンクのプライマリコンポーネントキャリアとセカンダリコンポーネントキャリアの連続した周波数帯域から前記局部発振周波数を検出させる制御部（１５）と、
を備える移動端末試験装置。
【請求項２】
前記制御部は、前記コールプロセッシング部により前記移動端末に対しユーザデータを送信しない状態にさせ、
前記無線信号測定部は、前記移動端末からの前記信号としてのスプリアスを受信し、前記アップリンクのプライマリコンポーネントキャリアとセカンダリコンポーネントキャリアの連続した周波数帯域の最大パワーの周波数ポイントを前記局部発振周波数とする請求項１に記載の移動端末試験装置。
【請求項３】
前記制御部は、前記コールプロセッシング部により前記移動端末に対しユーザデータを送信させて送信スペクトラムに偏りを持たせた状態にさせ、
前記無線信号測定部は、前記アップリンクのプライマリコンポーネントキャリアとセカンダリコンポーネントキャリアの連続した周波数帯域の前記移動端末による前記ユーザデータの送信信号と当該送信信号のイメージ信号とを検出し、前記送信信号と前記イメージ信号の間にある最大パワーの周波数ポイントを前記局部発振周波数とする請求項１に記載の移動端末試験装置。
【請求項４】
キャリアアグリゲーションにおける複数のコンポーネントキャリアそれぞれに設定されたパラメータに基づいて、前記複数のコンポーネントキャリアの１つをプライマリコンポーネントキャリアとし、他の前記コンポーネントキャリアをセカンダリコンポーネントキャリアとして移動端末と呼接続を行なってキャリアアグリゲーションの試験を行なう移動端末試験装置が実行する局部発振周波数検出方法であって、
アップリンクのプライマリコンポーネントキャリアとセカンダリコンポーネントキャリアが連続した周波数配置のアップリンクキャリアアグリゲーションの試験を行なう場合に、
前記移動端末との間の呼制御で前記移動端末からの送信信号が所定の送信条件を満たすように設定するステップと、
前記移動端末から受信した前記所定の送信条件を満たした信号を用いて、前記アップリンクのプライマリコンポーネントキャリアとセカンダリコンポーネントキャリアの連続した周波数帯域から前記移動端末の局部発振周波数を検出するステップと、を備える移動端末試験装置用局部発振周波数検出方法。
【発明の詳細な説明】
【技術分野】
【０００１】
本発明は、移動体通信端末の試験を行なう移動端末試験装置に関する。
【背景技術】
【０００２】
携帯電話やデータ通信端末等の移動体通信端末を開発した場合、この開発した移動体通信端末が正常に通信を行なえるか否かを試験する必要がある。このため、実際の基地局の機能を擬似する擬似基地局として動作する試験装置に試験対象の移動体通信端末を接続し、試験装置と移動体通信端末との間で通信を行ない、この通信の内容を確認する試験を行なっている。
【０００３】
また、無線通信の規格を作成している３ＧＰＰ（3rd Generation Partnership Project）では、ＬＴＥ−Ａ（Long Term Evolution-Advanced）の規格のなかで、キャリアアグリゲーション（Carrier Aggregation）技術が導入されている。このキャリアアグリゲーションは、複数のＬＴＥキャリアを同時に用いて通信を行なうことで、伝送速度の向上を図るものである。
【０００４】
キャリアアグリゲーションにおいては、コンポーネントキャリア（以下、ＣＣともいう）と呼ばれるＬＴＥキャリアを複数用いて通信を行なうが、各ＣＣの周波数の配置により、Intra-band contiguous CA（連続した周波数配置の複数のＣＣによるキャリアアグリゲーション）、Intra-band non-contiguous CA（同じ周波数バンドで非連続の周波数配置の複数のＣＣによるキャリアアグリゲーション）、Inter-band CA（異なる周波数バンドで非連続の周波数配置の複数のＣＣによるキャリアアグリゲーション）の３つに分類される。
【０００５】
キャリアアグリゲーションでは、移動体通信端末が基地局との接続を維持するために必要なＣＣである１つのプライマリコンポーネントキャリア（以下、ＰＣＣともいう）と、移動体通信端末と基地局との伝送速度を向上させるために使用されるＣＣである１つ以上のセカンダリコンポーネントキャリア（以下、ＳＣＣともいう）とにより通信が行なわれる。
【０００６】
特許文献１には、キャリアアグリゲーションの試験を行なうことができるようにした試験装置が記載されている。
【先行技術文献】
【特許文献】
【０００７】
【特許文献１】特開２０１４−２７６５６号公報
【発明の概要】
【発明が解決しようとする課題】
【０００８】
３ＧＰＰ  Ｒｅｌｅａｓｅ１０以降の規格では、アップリンク（移動体通信端末から基地局に向かうリンク）についてもキャリアアグリゲーション技術を適用するようになっている。
【０００９】
３ＧＰＰの規格では、移動体通信端末の送信信号の測定項目が規定されており、以下のIntra-band contiguous CAにおける測定項目では、試験装置側で移動体通信端末の局部発振器（Local Oscillator）の周波数（以下、「LO周波数」という）の位置を把握しなければ、正確な測定を行なうことができない。
・Error Vector Magnitude(EVM) for CA(TS36.521-1 6.5.2A.1)
・Carrier leakage for CA(TS36.521-1 6.5.2A.2)
・In-band emissions for non allocated RB for CA(TS36.521-1 6.5.2A.3)
【００１０】
LO周波数は、移動体通信端末の仕様やハードウェア構成に依存しているため、特許文献１に提案された試験装置では、試験装置のユーザが移動体通信端末の仕様やハードウェア構成を把握していないと、LO周波数が分からず、正確な測定を行なうことができない。
【００１１】
そこで、本発明は、移動体通信端末の仕様やハードウェア構成を把握していなくても、移動体通信端末の送信信号の測定を正確に行なうことができる移動端末試験装置を提供することを目的としている。
【課題を解決するための手段】
【００１２】
本発明の移動端末試験装置は、キャリアアグリゲーションにおける複数のコンポーネントキャリアそれぞれに設定されたパラメータに基づいて、複数のコンポーネントキャリアの１つをプライマリコンポーネントキャリアとし、他のコンポーネントキャリアをセカンダリコンポーネントキャリアとして移動端末と呼接続を行なってキャリアアグリゲーションの試験を行なう移動端末試験装置であって、移動端末との間で呼制御を行なって移動端末の送信信号の送信条件を制御するコールプロセッシング部と、移動端末からの所定の送信条件を満たす信号を受信し、当該受信信号から移動端末の局部発振周波数を検出する無線信号測定部と、アップリンクのプライマリコンポーネントキャリアとセカンダリコンポーネントキャリアが連続した周波数配置のアップリンクキャリアアグリゲーションの試験を行なう場合に、コールプロセッシング部に、移動端末に対し無線信号測定部に送信する信号を所定の送信条件を満たすように設定させ、無線信号測定部に、アップリンクのプライマリコンポーネントキャリアとセカンダリコンポーネントキャリアの連続した周波数帯域から局部発振周波数を検出させる制御部と、を備えるものである。
【００１３】
この構成により、移動端末から所定の送信条件を満たす信号が送信され、受信した所定の送信条件を満たす信号から局部発振周波数が検出される。このため、移動端末の仕様やハードウェア構成を把握していなくても、移動端末の送信信号の測定を正確に行なうことができる。
【００１４】
また、本発明の移動端末試験装置において、制御部は、コールプロセッシング部により移動端末に対しユーザデータを送信しない状態にさせ、無線信号測定部は、移動端末からの信号としてのスプリアスを受信し、アップリンクのプライマリコンポーネントキャリアとセカンダリコンポーネントキャリアの連続した周波数帯域の最大パワーの周波数ポイントを局部発振周波数とするものである。
【００１５】
この構成により、ユーザデータが無い状態で受信した信号の最大パワーの周波数ポイントが局部発振周波数とされる。このため、移動端末の仕様やハードウェア構成を把握していなくても、移動端末の送信信号の測定を正確に行なうことができる。
【００１６】
また、本発明の移動端末試験装置において、制御部は、コールプロセッシング部により移動端末に対しユーザデータを送信させて送信スペクトラムに偏りを持たせた状態にさせ、無線信号測定部は、アップリンクのプライマリコンポーネントキャリアとセカンダリコンポーネントキャリアの連続した周波数帯域の移動端末によるユーザデータの送信信号とその送信信号のイメージ信号とを検出し、送信信号とイメージ信号の間にある最大パワーの周波数ポイントを前記局部発振周波数とするものである。
【００１７】
この構成により、ユーザデータで送信スペクトラムに偏りを持たせた信号が送信され、受信した信号から移動端末の送信信号とそのイメージ信号が検出され、その間にある最大パワーの周波数ポイントが局部発振周波数とされる。このため、移動端末の仕様やハードウェア構成を把握していなくても、移動端末の送信信号の測定を正確に行なうことができる。
【００１８】
また、本発明の移動端末試験装置用局部発振周波数検出方法は、キャリアアグリゲーションにおける複数のコンポーネントキャリアそれぞれに設定されたパラメータに基づいて、複数のコンポーネントキャリアの１つをプライマリコンポーネントキャリアとし、他のコンポーネントキャリアをセカンダリコンポーネントキャリアとして移動端末と呼接続を行なってキャリアアグリゲーションの試験を行なう移動端末試験装置の局部発振周波数検出方法であって、アップリンクのプライマリコンポーネントキャリアとセカンダリコンポーネントキャリアが連続した周波数配置のアップリンクキャリアアグリゲーションの試験を行なう場合に、移動端末との間の呼制御で移動端末からの送信信号が所定の送信条件を満たすように設定するステップと、移動端末から受信した所定の送信条件を満たした信号を用いて、アップリンクのプライマリコンポーネントキャリアとセカンダリコンポーネントキャリアの連続した周波数帯域から移動端末の局部発振周波数を検出するステップと、を備えるものである。
【００１９】
この構成により、移動端末から所定の送信条件を満たす信号が送信され、受信した所定の送信条件を満たす信号から局部発振周波数が検出される。このため、移動端末の仕様やハードウェア構成を把握していなくても、移動端末の送信信号の測定を正確に行なうことができる。
【発明の効果】
【００２０】
本発明は、移動体通信端末の仕様やハードウェア構成を把握していなくても、移動体通信端末の送信信号の測定を正確に行なうことができる移動端末試験装置を提供することができる。
【図面の簡単な説明】
【００２１】
【図１】図１は、本発明の一実施形態に係る移動端末試験装置の概念ブロック図である。
【図２】図２は、本発明の一実施形態に係る移動端末試験装置のアップリンクキャリアアグリゲーションの移動端末のLO周波数の位置の例を示す図であり、図２（ａ）はＰＣＣとＳＣＣのそれぞれにLO周波数を持つ場合を示す図、図２（ｂ）はＰＣＣとＳＣＣの連続した周波数帯域の中心にLO周波数を持つ場合を示す図、図２（ｃ）はＰＣＣとＳＣＣの間のガードバンドにLO周波数を持つ場合を示す図である。
【図３】図３は、本発明の一実施形態に係る移動端末試験装置のアップリンクキャリアアグリゲーションの試験手順を示すシーケンス図である。
【図４】図４は、本発明の一実施形態に係る移動端末試験装置のLO周波数検出処理手順を示すフローチャートである。
【図５】図５は、本発明の一実施形態に係る移動端末試験装置のLO周波数検出イメージを示す図である。
【図６】図６は、本発明の一実施形態の他の態様に係る移動端末試験装置のアップリンクキャリアアグリゲーションの試験手順を示すシーケンス図である。
【図７】図７は、本発明の一実施形態の他の態様に係る移動端末試験装置のLO周波数検出処理手順を示すフローチャートである。
【図８】図８は、本発明の一実施形態の他の態様に係る移動端末試験装置のLO周波数検出イメージを示す図である。
【発明を実施するための形態】
【００２２】
以下、図面を参照して、本発明の実施形態に係る移動端末試験装置について詳細に説明する。
【００２３】
図１において、本発明の一実施形態に係る移動端末試験装置１は、擬似基地局として同軸ケーブル等を介して有線で移動端末２と無線信号を送受信するようになっている。なお、移動端末試験装置１は、アンテナを介して無線で移動端末２と信号を送受信するようにしてもよい。移動端末試験装置１は、ＬＴＥ−Ａの規格に対応しており、キャリアアグリゲーション技術により移動端末２との間で通信できるようになっている。
【００２４】
移動端末試験装置１は、無線信号処理部１０と、無線ハードウェア制御部１１と、コールプロセッシング部１２と、無線信号測定部１３と、ユーザインターフェース部１４と、制御部１５とを含んで構成されている。
【００２５】
無線信号処理部１０は、移動端末２との間で無線信号を送受信するものである。無線信号処理部１０は、コールプロセッシング部１２及び無線信号測定部１３の送信データを、符号化や、変調、周波数変換などして無線信号を生成して送信する。また、無線信号処理部１０は、移動端末２から受信した無線信号を、周波数変換や、復調、復号などしてコールプロセッシング部１２及び無線信号測定部１３に出力する。
【００２６】
無線ハードウェア制御部１１は、無線信号処理部１０を制御して、無線信号の送受信レベルや周波数などを制御するものである。
【００２７】
コールプロセッシング部１２は、無線信号処理部１０及び無線ハードウェア制御部１１と接続され、試験条件に応じて設定された周波数や多重化方式などのコンポーネントキャリアのパラメータに従って無線ハードウェア制御部１１に設定信号を送信して、無線信号処理部１０に試験条件に適合した無線信号を送信させる。また、コールプロセッシング部１２は、無線信号処理部１０を介して、移動端末２との間で無線信号を送受信して、コンポーネントキャリアとしての試験条件に適合した呼接続を移動端末２との間で行なったり、試験条件に対応したコンポーネントキャリアとしての呼制御を行なったりするものである。また、コールプロセッシング部１２は、設定された多重化方式などのパラメータに従って無線信号処理部１０に設定信号を送信して、無線信号処理部１０に試験条件に適合した無線信号を送信させる。
【００２８】
無線信号測定部１３は、無線信号処理部１０と接続され、無線信号処理部１０の送受信する無線信号の送受信レベルやスループットなどを測定し、測定結果を制御部１５に出力するようになっている。制御部１５は、無線信号測定部１３からの測定結果を時刻情報などと関連付けてハードディスク等に記憶しておき、ユーザの要求によりユーザインターフェース部１４に表示出力させたり、ログとしてファイルに出力したりするようになっている。
【００２９】
ユーザインターフェース部１４は、ユーザからの操作入力を受け付ける入力部１４１と、ＣＣのパラメータの設定画面や無線信号測定部１３の測定結果などを表示する表示部１４２とを備えている。入力部１４１は、タッチパッドやキーボードやプッシュボタンなどによって構成される。表示部１４２は、液晶表示装置などによって構成される。
【００３０】
制御部１５は、図示しないＣＰＵ（Central Processing Unit）と、ＲＡＭ（Random Access Memory）と、ＲＯＭ（Read Only Memory）と、ハードディスク装置と、入出力ポートとを備えたコンピュータユニットによって構成されている。
【００３１】
このコンピュータユニットのＲＯＭ及びハードディスク装置には、各種制御定数や各種マップ等とともに、当該コンピュータユニットを制御部１５として機能させるためのプログラムが記憶されている。すなわち、ＣＰＵがＲＯＭ及びハードディスク装置に記憶されたプログラムを実行することにより、当該コンピュータユニットは、制御部１５として機能する。
【００３２】
制御部１５の入出力ポートには、無線ハードウェア制御部１１、コールプロセッシング部１２、無線信号測定部１３、ユーザインターフェース部１４が接続されている。
【００３３】
なお、本実施形態において、無線ハードウェア制御部１１、コールプロセッシング部１２、無線信号測定部１３は、各処理を実行するようにプログラミングされたＤＳＰ（Digital Signal Processor）等のプロセッサによってそれぞれ構成されている。また、無線信号処理部１０は、通信モジュールによって構成されている。
【００３４】
制御部１５は、表示部１４２に表示させたパラメータ設定画面に従って入力部１４１による入力操作により設定されたパラメータに基づいて、無線ハードウェア制御部１１に設定信号を送信して無線信号処理部１０が送受信する無線信号の周波数や多重化方式を制御して、無線信号測定部１３に測定を行なわせる。また、制御部１５は、設定されたパラメータをコールプロセッシング部１２に通知して、設定されたパラメータに適合したコンポーネントキャリアの通信を確立させる。
【００３５】
また、制御部１５は、入力部１４１に入力された指示に従って、無線ハードウェア制御部１１及びコールプロセッシング部１２に信号を送信して、試験用の呼制御などを行なわせるようになっている。
【００３６】
このような移動端末試験装置１において、移動端末２の送信試験のIntra-band contiguous CAにおける測定項目では、移動端末試験装置１側で移動端末２のLO周波数（局部発振周波数）の位置を把握しなければ、正確な測定を行なうことができない。
【００３７】
図２に示すように、アップリンクキャリアアグリゲーションに対応した移動端末２のIntra-band contiguous CAにおけるLO周波数の位置は何通りか考えられる。
【００３８】
図２（ａ）は、ＰＣＣとＳＣＣのそれぞれにLO周波数を持つ場合、図２（ｂ）は、ＰＣＣとＳＣＣの連続した周波数帯域の中心にLO周波数を持つ場合、図２（ｃ）は、ＰＣＣとＳＣＣの間のガードバンドにLO周波数を持つ場合を示す。
【００３９】
移動端末２が、これらのどの位置にLO周波数を持っているかは、移動端末２の仕様やハードウェア構成に依存しているため、容易に知ることができない場合がある。
【００４０】
そこで、制御部１５は、移動端末２の送信試験を行なう場合、測定開始前に移動端末２のLO周波数の位置を無線信号測定部１３に検出させる。
【００４１】
制御部１５は、コールプロセッシング部１２により移動端末２との間でアップリンクのIntra-band contiguous CAの接続を確立させる。制御部１５は、コールプロセッシング部１２により、移動端末２に所定の制御信号を送信してアップリンク信号のユーザデータを送信しない状態とさせる。この状態で制御部１５は、無線信号測定部１３にLO周波数を検出させる。
【００４２】
無線信号測定部１３は、Intra-band contiguous CAの連続した周波数帯域の周波数スペクトラムを作成し、作成した周波数スペクトラムの最大パワーの周波数ポイントをLO周波数とする。
【００４３】
無線信号測定部１３は、最大パワーの周波数ポイントがアップリンクキャリアアグリゲーションの各ＣＣに一つずつある場合は、おのおのの周波数ポイントを各ＣＣのLO周波数とする。
【００４４】
このような移動端末試験装置１の移動端末２の送信試験の手順について図３を参照して説明する。
【００４５】
制御部１５は、入力部１４１の操作によりパラメータ設定の機能が選択されると、例えば、表示部１４２にパラメータ設定画面を表示させて、各ＣＣのパラメータとして測定条件や、Channel BandwidthやUL Channel(Frequency)などの呼接続条件などを設定させる（ステップＳ１）。
【００４６】
制御部１５は、目的の試験に合わせて設定されたＣＣごとのパラメータをＣＣごとに例えばハードディスク装置に記憶するとともに、コールプロセッシング部１２にパラメータを通知し、コールプロセッシング部１２が設定されたパラメータに従ってＣＣの制御をできるようにする。
【００４７】
このようなパラメータが設定された後、移動端末試験装置１と移動端末２とが有線で接続され、移動端末２の電源を入れるなどして位置登録が行なわれ、移動端末試験装置１側で位置登録が正常に行なわれたかが確認される。
【００４８】
制御部１５は、位置登録が行なわれた状態で、入力部１４１の操作により呼接続の操作が行なわれると、コールプロセッシング部１２に呼接続を指示し、移動端末２と呼接続状態とさせる（ステップＳ２）。
【００４９】
制御部１５は、呼接続が行なわれた状態で、入力部１４１により移動端末２の送信試験の測定開始の操作が行なわれると（ステップＳ３）、コールプロセッシング部１２に「測定前準備指示」を送信する（ステップＳ４）。
【００５０】
コールプロセッシング部１２は、「測定前準備指示」を受信すると、移動端末２に制御信号を送信して、各ＣＣのUL Scheduling(DCI Format0)の停止、DL Scheduling(DCI Format1/1Aなど)の停止を移動端末２に行なわせ、アップリンク信号のユーザデータが送信されない状態を作る（ステップＳ５）。
【００５１】
コールプロセッシング部１２は、移動端末２に制御信号を送信すると、制御部１５に「測定前準備完了」を送信する（ステップＳ６）。
【００５２】
コールプロセッシング部１２から「測定前準備完了」を受信すると、制御部１５は、無線信号測定部１３に「測定前準備指示」を送信する（ステップＳ７）。
【００５３】
無線信号測定部１３は、「測定前準備指示」を受信すると、図４を参照して後述するLO周波数検出処理を行ない（ステップＳ８）、検出したLO周波数を記憶しておき、制御部１５に「測定前準備完了」を送信する（ステップＳ９）。
【００５４】
無線信号測定部１３から「測定前準備完了」を受信すると、制御部１５は、コールプロセッシング部１２に「測定前準備指示２」を送信する（ステップＳ１０）。
【００５５】
コールプロセッシング部１２は、「測定前準備指示２」を受信すると、移動端末２に制御信号を送信して、各ＣＣのUL Scheduling(DCI Format0)の送信、DL Scheduling(DCI Format1/1Aなど)の送信を移動端末２に行なわせ、設定されたパラメータの条件に従って移動端末２に送信制御させる（ステップＳ１１）。
【００５６】
コールプロセッシング部１２は、移動端末２に制御信号を送信すると、制御部１５に「測定前準備完了２」を送信する（ステップＳ１２）。
【００５７】
コールプロセッシング部１２から「測定前準備完了２」を受信すると、制御部１５は、無線信号測定部１３に「測定開始指示」を送信する（ステップＳ１３）。
【００５８】
無線信号測定部１３は、「測定開始指示」を受信すると、「測定開始指示」に含まれた受信試験内容に基づいて、記憶しているLO周波数を使って、例えば、EVMやCarrier Leakageの測定をＰＣＣ及びＳＣＣについて行ない（ステップＳ１４）、受信信号の測定が終わると、測定結果を含んだ「測定結果報告」を制御部１５に送信する（ステップＳ１５）。
【００５９】
無線信号測定部１３から「測定結果報告」を受信すると、制御部１５は、「測定試験結果報告」に含まれる測定結果情報などを表示部１４２に表示させる（ステップＳ１６）。
【００６０】
次に、LO周波数検出処理について、図４のフローチャートを参照して説明する。まず、無線信号測定部１３は、アップリンクキャリアアグリゲーションの各ＣＣのChannel Bandwidth、UL Channel(Frequency)条件から、アップリンクキャリアアグリゲーションとして設定されたＰＣＣとＳＣＣの連続した周波数帯域幅であるAggregated Channel Bandwidthを算出する（ステップＳ２１）。
【００６１】
ここで、移動端末２からアップリンク信号が送信されない状態におけるAggregated Channel Bandwidth内のスプリアスを被測定信号と呼ぶ。無線信号測定部１３は、当該被測定信号をフーリエ変換して周波数スペクトラムを作成する（ステップＳ２２）。
【００６２】
無線信号測定部１３は、作成した周波数スペクトラムから、Aggregated Channel Bandwidth内の最大パワーの周波数ポイントを検索する（ステップＳ２３）。
【００６３】
無線信号測定部１３は、検索された最大パワーの周波数ポイントをLO周波数とする（ステップＳ２４）。最大パワーの周波数ポイントが各ＣＣの帯域ごとに１つずつある場合は、それぞれの周波数ポイントを各ＣＣのLO周波数とする（図２（ａ）の場合）。
【００６４】
このような処理で作成された周波数スペクトラムのイメージを図５に示す。図５に示すように、Aggregated Channel Bandwidthの周波数帯の中で、最大パワーの周波数ポイントをLO周波数とする。図５は、図２（ｂ）に示した、ＰＣＣとＳＣＣの連続した周波数帯域の中心にLO周波数を持つ場合である。
【００６５】
このように、ユーザデータの送信が無い状態を作っているため、リークしたLO周波数を検出することができる。
【００６６】
本実施形態の他の態様として、制御部１５は、コールプロセッシング部１２により移動端末２との間でアップリンクのIntra-band contiguous CAの接続を確立させる。制御部１５は、コールプロセッシング部１２により、移動端末２に所定の制御信号を送信してユーザデータを送信させて送信スペクトラムに偏りを持たせた状態にさせる。この状態で制御部１５は、無線信号測定部１３によりLO周波数を検出させる。
【００６７】
無線信号測定部１３は、Intra-band contiguous CAの連続した周波数帯域の周波数スペクトラムを作成し、作成した周波数スペクトラムの送信されているユーザデータの信号とそのイメージ信号を検出し、送信されているユーザデータの信号とイメージ信号の中間付近にある最大パワーの周波数ポイントをLO周波数とする。
【００６８】
このような移動端末試験装置１の移動端末２の送信試験の手順について図６を参照して説明する。なお、図６において、図２と同じステップ番号を付した処理は図２と同じ処理であることを示している。
【００６９】
上述の実施形態と同様に、制御部１５は、各ＣＣのパラメータとして測定条件や、Channel BandwidthやUL Channel(Frequency)などの呼接続条件などを設定させ（ステップＳ１）、ユーザによる入力部１４１の操作により呼接続の操作が行なわれると、ユーザに指定されたＣＣに対応するコールプロセッシング部１２に呼接続の指示を送信し、呼接続を行なわせ（ステップＳ２）、ユーザによる入力部１４１の操作により移動端末２の送信試験の測定開始の操作が行なわれると（ステップＳ３）、コールプロセッシング部１２に「測定前準備指示」を送信する（ステップＳ４）。
【００７０】
コールプロセッシング部１２は、「測定前準備指示」を受信すると、移動端末２に制御信号を送信して、ＰＣＣのNumber of RB = 1、Starting RB = 0としてDCI Format0の送信、ＳＣＣのUL Scheduling(DCI Format0)の停止、DL Scheduling(DCI Format1/1Aなど)の停止を移動端末２に行なわせ、ユーザデータを送信させてアップリンク信号を送信スペクトラムに偏りを持たせる状態にさせる（ステップＳ３１）。
【００７１】
次いで、上述の実施形態と同様に、コールプロセッシング部１２は、移動端末２に制御信号を送信すると、制御部１５に「測定前準備完了」を送信し（ステップＳ６）、制御部１５は、「測定前準備完了」を受信すると、無線信号測定部１３に「測定前準備指示」を送信する（ステップＳ７）。
【００７２】
無線信号測定部１３は、「測定前準備指示」を受信すると、図７を参照して後述するLO周波数検出処理を行ない（ステップＳ３２）、検出したLO周波数を記憶しておき、制御部１５に「測定前準備完了」を送信する（ステップＳ９）。
【００７３】
以降、上述の実施形態と同様に、無線信号測定部１３から「測定前準備完了」を受信すると、制御部１５は、コールプロセッシング部１２に「測定前準備指示２」を送信し（ステップＳ１０）、コールプロセッシング部１２は、「測定前準備指示２」を受信すると、移動端末２に制御信号を送信して、各ＣＣのUL Scheduling(DCI Format0)の送信、DL Scheduling(DCI Format1/1Aなど)の送信を移動端末２に行なわせ、設定されたパラメータの条件に従って移動端末２に送信制御させる（ステップＳ１１）。
【００７４】
コールプロセッシング部１２は、移動端末２に制御信号を送信すると、制御部１５に「測定前準備完了２」を送信し（ステップＳ１２）、制御部１５は、「測定前準備完了２」を受信すると、無線信号測定部１３に「測定開始指示」を送信する（ステップＳ１３）。
【００７５】
無線信号測定部１３は、「測定開始指示」を受信すると、「測定開始指示」に含まれた受信試験内容に基づいて、記憶しているLO周波数を使って、例えば、EVMやCarrier Leakageの測定をＰＣＣ及びＳＣＣについて行ない（ステップＳ１４）、受信信号の測定が終わると、測定結果を含んだ「測定結果報告」を制御部１５に送信する（ステップＳ１５）。
【００７６】
無線信号測定部１３から「測定結果報告」を受信すると、制御部１５は、「測定試験結果報告」に含まれる測定結果情報などを表示部１４２に表示させる（ステップＳ１６）。
【００７７】
次に、LO周波数検出処理について、図７のフローチャートを参照して説明する。まず、無線信号測定部１３は、アップリンクキャリアアグリゲーションの各ＣＣのChannel Bandwidth、UL Channel(Frequency)条件から、アップリンクキャリアアグリゲーションとして設定されたＰＣＣとＳＣＣの連続した周波数帯域幅であるAggregated Channel Bandwidthを算出する（ステップＳ４１）。
【００７８】
無線信号測定部１３は、移動端末２から受信した信号を被測定信号として、被測定信号をフーリエ変換して周波数スペクトラムを作成する（ステップＳ４２）。
【００７９】
無線信号測定部１３は、作成した周波数スペクトラムから、Aggregated Channel Bandwidth内から送信されている信号を検出する（ステップＳ４３）。例えば、無線信号測定部１３は、Aggregated Channel Bandwidth内の周波数スペクトラムのパワーの大きい周波数帯域の信号を当該送信されている信号と認定する。
【００８０】
無線信号測定部１３は、検出した当該送信されている信号と同一帯域幅のイメージ信号を検出する（ステップＳ４４）。例えば、無線信号測定部１３は、Aggregated Channel Bandwidth内において周波数スペクトラムから検出した信号と同一帯域幅の、当該検出した信号よりパワーの小さい周波数帯域の信号をイメージ信号と認定する。
【００８１】
無線信号測定部１３は、送信されている信号とイメージ信号の中間付近にある最大パワーの周波数ポイントを検索する（ステップＳ４５）。
【００８２】
無線信号測定部１３は、検索された最大パワーの周波数ポイントをLO周波数とする（ステップＳ４６）。
【００８３】
最大パワーの周波数ポイントがＰＣＣの中心周波数に存在する場合、無線信号測定部１３は、ＰＣＣ及びＳＣＣそれぞれの中心周波数にLO周波数があると推定する（図２（ａ）の場合）。この場合、ＳＣＣについて同様にしてLO周波数を検出するようにしてもよいし、ＳＣＣの中心周波数をLO周波数としてもよい。
【００８４】
最大パワーの周波数ポイントがAggregated Channel Bandwidthの中心周波数に存在する場合、無線信号測定部１３は、Aggregated Channel Bandwidthの中心周波数にLO周波数があると推定する（図２（ｂ）の場合）。
【００８５】
最大パワーの周波数ポイントがＰＣＣとＳＣＣの間のガードバンドの周波数領域に存在する場合、無線信号測定部１３は、ＰＣＣとＳＣＣの間のガードバンドにLO周波数があると推定する（図２（ｃ）の場合）。
【００８６】
このような処理で作成された周波数スペクトラムのイメージを図８に示す。図８に示すように、Aggregated Channel Bandwidthの周波数帯の中で、送信信号とイメージ信号の中間付近の最大パワーの周波数ポイントをLO周波数とする。図８は、図２（ｂ）に示した、ＰＣＣとＳＣＣの連続した周波数帯域の中心にLO周波数を持つ場合である。
【００８７】
このように、ユーザデータで送信スペクトラムに偏りを持たせた信号を送信させているため、その信号とその信号のイメージ信号からLO周波数を検出することができる。
【００８８】
以上のように、上述の実施形態では、移動端末２にユーザデータの信号が無い状態の信号を送信させ、受信信号の周波数スペクトラムの最大パワーの周波数ポイントをLO周波数としている。
【００８９】
これにより、ユーザデータの信号が無い状態でリークしたLO周波数を検出することができ、移動端末２の仕様やハードウェア構成を把握していなくても、移動端末２の送信信号の測定を正確に行なうことができる。
【００９０】
また、移動端末２にユーザデータを送信させて送信スペクトラムに偏りを持たせた状態にさせ、受信信号からユーザデータの信号とそのイメージ信号を検出し、その信号とイメージ信号の中間付近の最大パワーの周波数ポイントをLO周波数としている。
【００９１】
これにより、ユーザデータの信号とそのイメージ信号の関係からLO周波数を検出することができ、移動端末２の仕様やハードウェア構成を把握していなくても、移動端末２の送信信号の測定を正確に行なうことができる。
【００９２】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００９３】
１  移動端末試験装置
２  移動端末
１０  無線信号処理部
１１  無線ハードウェア制御部
１２  コールプロセッシング部
１３  無線信号測定部
１４  ユーザインターフェース部
１５  制御部
１４１  入力部
１４２  表示部
【図１】
0006262182.tif 000002
【図２】
0006262182.tif 000003
【図３】
0006262182.tif 000004
【図４】
0006262182.tif 000005
【図５】
0006262182.tif 000006
【図６】
0006262182.tif 000007
【図７】
0006262182.tif 000008
【図８】
0006262182.tif 000009